(57)【要約】【課題】ネック部下方に後の延伸ブローにとって最適な形状を有するプリフォームの製造方法を提供する。【解決手段】この形状は特に、ネック部自体よりも明らかに薄い壁厚を有する。このプリフォームはこの位置で軸方向の溝が導入される場合などに射出成形装置内で製造され得る。プリフォームでの薄壁形状は、成形機外でも後冷却時に型押しにより得られる。そのためプリフォームは冷却された取り出しスリーブ内に取り出され、シャフト部での接触冷却により冷却される一方、プリフォームネック部は型押し部材の初期位置により冷却スリーブにてなるべく冷却接触のない状態が保証される。ネック部の再加熱によりネック部は機械的にブロー工程に有利な新形状に変形され得、また壁厚に影響を及ぼされる。ネック部下方に薄壁領域を有するプリフォームは、後続ブロー工程で特にボトル内で良好に分布した合成物質材料が高品質なボトルでの著しい材料の節約をもたらす。【選択図】図２
2020179679.tif 000002
【特許請求の範囲】
【請求項１】
後続の簡潔化されたブロープロセスのために、ネジ部領域或いは搬送リング（３）の下方に改良されたネック部形状を備えたプリフォーム（２）を製造するための方法にして、少なくとも１つの熱可塑性材料からなる完成まで製造された前記プリフォーム（２）が、ネジ部下方のネック部領域において、ねじ部自体の壁厚よりも、基本的に薄い壁厚を有しており、また、前記プリフォーム（２）がブロー成形された容器へ変形するために備えられている方法において、
前記プリフォーム（２）が射出成形されているが、薄壁領域に関わらず保持圧力は増加された壁厚を有している少なくとも２つの溝を用いて維持され得ること、又は、成形機に組み込まれた少なくとも２つの押圧部材が、キャビティの充填プロセス後及び特定のプロセス時間の後、このより薄い壁厚をもたらすこと、又は、最初の可能な限り短時間の冷却の後に前記プリフォーム（２）の外表面が硬化した後で成形機が開かれ、前記プリフォーム（２）が取り出しアーム及び前記取り出しアームの冷却スリーブ（８）を用いて開かれた成形機から取り上げられ、前記冷却スリーブ（８）が、型押しプロセスの前に接触冷却によりプリフォームシャフトを冷却するが、前記ネジ部下方の前記ネック部は冷却せず、従って再度可塑変形可能なこの領域が機械的に型押し部材（５）を用いて更なる加工にとって必要な再現精度に応じて、合成物質材料の型押しプロセスによって、引っ張り、押圧、及び押し込みにより、変形されること、及び、複数の前記型押し部材の輪郭が支持ボルト（４）との組み合わせで、これらの輪郭の大部分が開いたプリフォーム（２）での変形プロセスの後に再現可能に写し取られるように、形成されていること
を特徴とする方法。
【請求項２】
請求項１に記載の方法において、
当該方法により、全ての前記プリフォーム（２）が、それらの製造時にネック部下方の薄壁領域に、少なくとも２つのウェブ或いは溝（１４）を有していること
を特徴とする方法。
【請求項３】
請求項１又は２に記載の方法において、
前記溝（１４）が射出成形処理のために、保持圧力を維持するため前記合成物質が前記溝（１４）内では、プリフォームネック部内の前記合成物質よりも早くは硬化しないように、構成されていること
を特徴とする方法。
【請求項４】
請求項１に記載の方法において、
押圧処理の際、材料の押し退けが、時間的に自由に決定可能でありまた同時に保持圧力のためにも利用され、また、複数の押圧部材（１３）がそれらの分離部分にて形状について予め決定されたウェブ（１４）を再現可能に作成すること
を特徴とする方法。
【請求項５】
請求項１に記載の方法において、
前記冷却スリーブ（８）内での前記型押しプロセスが合成物質材料を軸方向に押し退け、その結果、前記プリフォーム（２）の延伸が可能であること
を特徴とする方法。
【請求項６】
請求項５に記載の方法において、
型押しで形状を付与する領域内で、前記プリフォーム（２）に９０°Ｃから１５０°Ｃの間の温度範囲が生じること
を特徴とする方法。
【請求項７】
請求項１又は２に記載の方法において、
形状について特定された輪郭を備えた任意の数量及びサイズの型押し部材（５）が、可塑性の塊りを引っ張ること、押圧すること、及び、押し込むことによって、ネック部の可塑性の合成物質を、２つの輪郭部の間の体積が合成物質で満たされるまで変形し、それによりプリフォームネック部の形状及びその壁厚が繰り返し正確に決定されること
を特徴とする方法。
【請求項８】
請求項１から７のいずれか一項に記載の方法において、
前記型押しプロセスが、プロセスのどの部分においても、時間的に自由に決定可能であること
を特徴とする方法。
【請求項９】
請求項１から８のいずれか一項に記載の方法において、
複数個取りキャビティの使用する際に、同等のプロセスを保証するために、それぞれのプリフォーム（２）用の機械的なバネ又は空圧的なバネによって、型押し力が個々のキャビティについて個別に調整可能であること
を特徴とする方法。
【請求項１０】
請求項１から９のいずれか一項に記載の方法において、
型押しプロセスに影響を与えるために、前記型押し部材（５）が調温又は冷却され得ること
を特徴とする方法。
【請求項１１】
請求項１から１０のいずれか一項に記載の方法において、
前記型押し部材（５）が、材料の引っ張り、押圧、及び、押し込みにより、ボトル形状の特別な要求のためにプリフォームネック部をプリ成形すること
を特徴とする方法。
【請求項１２】
請求項１から１１のいずれか一項に記載の方法において、
前記プリフォームネック部内の熱収支の安定化のために、型押しプロセスを実行する前に１秒から２０秒の待機時間が設けられていること
を特徴とする方法。
【請求項１３】
ネック部の下方にブロープロセスにとって最適な形状を有しているプリフォーム（２）を製造するための装置にして、完成まで製造された前記プリフォーム（２）が、ネジ部の下方の領域において、ねじ部自体での壁厚よりも、明らかに薄い壁厚を有している装置において、
圧力下で可塑性の塊りを閉じられた成形機のキャビティ内へ注入するために、射出成形装置がこの合成物質原材料を可塑化させること、１個取り又は複数個取りの成形キャビティを備える成形機が、これらのプリフォーム（２）の完成までの形状付与を担い、その際当該成型機が、減少した壁厚に関わらずネック部での保持圧力の要求を保障するために、特別な溝又は押圧部材（１３）を使用可能であること、又は、前記成型機がプリフォーム形状の初めの形状付与を担うこと、取り出しアームが、プリフォーム（２）を取り出すために、冷却された冷却スリーブ（８）によって単数又は複数のキャビティを備えられていること、及び、内側の冷却スリーブ形状部が、プリフォームシャフトに接触冷却を提供するが、プリフォームネック部の領域には接触冷却を提供せず、また、型押し装置を使用可能であること、当該型押し装置が半径方向に浮動状態で支持される複数の型押し部材（５）を有しており、当該型押し部材（５）は軸方向の力によりテーパ部を介してこの力を、軸に対して垂直に転向しまた従って型押しプロセスのために著しく強化すること、当該型押しプロセスの課題はネジ部位の下方のネック部を引っ張り、押圧、及び、押し込みによって変形することであり、当該ネック部は、型押し部材（５）及び支持ボルト（４）の間の中空空間によって明確に特定されておりまた従って高い再現精度で前記ネック部の壁厚及び輪郭を形成すること
を特徴とする装置。
【請求項１４】
請求項１３に記載の装置において、
前記押圧部材が、場合によっては閉鎖圧下でも、成形機内で移動され得ること
を特徴とする装置。
【請求項１５】
請求項１３又は１４に記載の装置において、
前記型押し体が、硬質でありまた熱伝導性の材料（例えば鋼）から作製されていること
を特徴とする装置。
【請求項１６】
請求項１３から１５のいずれか一項に記載の装置において、
前記型押し体が冷却又は調温され得ること
を特徴とする装置。
【請求項１７】
請求項１３から１６のいずれか一項に記載の装置において、
前記冷却スリーブ（８）が流体冷却されていること
を特徴とする装置。
【請求項１８】
請求項１３から１７のいずれか一項に記載の装置において、
前記型押し部材（５）が弾性的に支持されておりまた弾性力を個別に決定することが可能であること
を特徴とする装置。
【請求項１９】
請求項１３から１８のいずれか一項に記載の装置において、
前記型押し部材（５）が、均一な力の変換部として利用されるテーパ部にあること
を特徴とする装置。
【請求項２０】
請求項１３から１９のいずれか一項に記載の装置において、
型押しユニットを備えるそれぞれの前記冷却スリーブ（８）が、ストローク長さ及び力を予め選択可能な個別の軸方向駆動部を有していること
を特徴とする装置。
【請求項２１】
請求項１３から２０のいずれか一項に記載の装置において、
前記プリフォーム（２）が必ずしも支持リング（３）を有していなくてもよいこと
を特徴とする装置。
【発明の詳細な説明】
【技術分野】
【０００１】
本発明は、後のブロープロセスにとって有利なネック部形状を形成するための、プリフォームを製造するための方法及び装置に関している。
【背景技術】
【０００２】
プリフォームとは、少なくとも１種の熱可塑性材料からなる射出成形された被加工部材（半製品）であって、それはブロー成形機内で延伸ブローされた合成物質容器（プラスチック容器）を製造するために使用される。
【０００３】
プリフォームの本発明に従い記載される通常の製造のため、合成物質材料が可塑化され、またそれに続き、高圧で１個取りキャビティ又は複数個取りキャビティの成形機（型器具）内で加圧される。
【０００４】
図１に従うプリフォームがもたらされ、当該プリフォームは形状に関して実質的に、ネック部及び肩部領域、及び、ボトム丸部から構成されており、また、成形機内でコアを使用することによって内部は中空である。ネック部領域は、例えばネジキャップを用いて繰り返し閉めることが出来るように設計され得るように、形成されている。ネック部領域は、搬送リングの上方で、ブロープロセスの間に更なる変形を被ってはならない、なぜなら、さもなければキャップ機構（閉じ蓋機構）が、その包括的な機能性、例えば密封性、を失うかもしれないという危険が生じるからである。
【０００５】
それに対し、搬送リング下方の領域、隣接するシャフト領域、及び、ボトム丸部は、温度が上昇された際に、中空体へと膨らまされ、それにより合成物質は延伸され、また著しく硬化する。従って変形されるべきプリフォーム領域は、形状に関してコア形状との相互作用で、後に表れるボトル品質についての責任を負う。
【０００６】
最適な結果のためにはネック部及びシャフト部の間の温度プロフィールは約５０℃から約８０℃の急激な温度上昇をなすべきところであるが、それは今日ほとんど実現され得ないことが付言される。それは大抵の場合には、温度が連続的に移行することによって搬送リングの下の材料が延伸ブロープロセスの間に最適ではない状態でボトル体へと写し取られ得ることを導き、その結果不必要な材料消費がもたらされる。
【０００７】
通常の場合、成形機は生産システム内で最も高価な投資である。それゆえ、成形機が効果的に運転されることがより重要視される。その外表面が集中的に冷却されている型鋼（モールド鋼）と直接接触した状態にあり従ってそこで迅速に硬化するプリフォームは、損傷なしに、また、機械的変形なしに、離型されると、成形機は時間を無駄にすることなく次の生産サイクルのために準備される。
【０００８】
通常の素早い生産サイクルにおいては、プリフォーム壁部の内側に、再加熱を導く著しい余熱（残熱）が残っており、それにより、プリフォームが再度軟化及び結晶化する可能性があり、これはプリフォームを使用不能にさせる。
【０００９】
従って、デモールディングプロセス（取り出しプロセス）の後で、引き続き、複数の生産サイクルの間に渡って、簡潔な型部材内、所謂冷却スリーブ内で集中的にプリフォームを冷却することが、必要不可欠である。
【００１０】
プリフォームは、図１に示されているように、今日の従来技術に対応しており、その場合、プリフォームの壁厚が、特にはボトム丸部及びシャフト部の領域で、類似の壁厚を有することを回避出来ない。材料がモールド領域又はネック部領域にてより薄い壁圧によって早期に硬化する場合、ネック部領域を含めたプリフォーム全体への影響とともに、溶融物の保持圧力（保圧）によって冷却フェーズにおける収縮を避けることは出来ず、これは、結果として、プリフォームの重要部位、特にはネック部に、望まれないヒケ（凹み、収縮）をもたらす。
【００１１】
本発明のためには、続くねじ部領域における壁厚よりも本質的に薄い壁圧が搬送リング下方のネック部の領域に所望され、また従ってこの薄い領域での早められた硬化によりヒケを避けることは最早出来ないので、図２に示されておりその長所が以下に詳述されるようなプリフォームの形状は従って既知の射出成形方法では、製造することは出来ない、又は、必要な保持圧力を維持する適切な措置が考慮された場合にのみ作製され得る。
【発明の概要】
【発明が解決しようとする課題】
【００１２】
本発明の主たる課題は、搬送リング下方に本質的により有利な輪郭を有するプリフォームが作製される方法及び装置を提供することである。その長所は、合成物質を迅速に延伸可能な温度にするために、後続のブロー機械の赤外線ヒーターがこのヒーターを介して、同時に壁厚が減少され拡大された表面へ最適な熱エネルギーをもたらすことが出来ることである。それにより、プリフォームを加熱する際に、加熱されてはならないネック部自体をより考慮にいれることが可能であり、低温のネック部領域から高温のプリフォームボディへの温度上昇は可能な限り急激であるべきである。それにより、延伸ブロープロセスの間に搬送リングの直下の材料をボトルボディにとって最適に取り除くことが可能であり、それは原材料の節約を可能にする。
【課題を解決するための手段】
【００１３】
その種のプリフォームを作製するために、ここでは合わせて３つの解決法が提案され、それらの解決法は成型機に既に援用されるか、又は、後にネック部冷却機に援用される。
【００１４】
第１のアプローチでは、成型機の領域において例えばプリフォームの形態を以下のように作り上げることが可能である、すなわち、ネック部の移行部の大部分が実際に薄壁状であるものの、少なくとも２つ又はそれ以上の溝が作成され、それらが早期に硬化することはなくまた従ってネック部に対する保持圧力が維持されるように、プリフォームの形態を作り上げることが可能である。これらの溝は、完成した射出成形体におけるウェブ（ブリッジ、垂直部分）を示しており、当該ウェブは、それらが可能な限り対称に周囲に分布されている限り、後続のブロープロセスには悪影響を及ぼさない。
【００１５】
本発明によりここで説明される代替的な第２のアプローチは、少なくとも２つの押圧部材を工作機に実装することであり、それらの押圧部材は可能な限り保圧フェーズの終わりにまだ射出成形装置内で搬送リング下方の薄い輪郭を実現する。時点を適切に選択することにより、型押しプロセスは保持圧力のサポートさえ行い得る。この解決法においても、押圧部材の分離部分によって複数のウェブが作成され、それらの総数は、使用される押圧部材の総数と直接的な関係にある。ウェブでの溶融物の硬化は最早重要ではないので、これらのウェブは基本的に、単なる射出成形方法にとって必要であるウェブよりも、薄く形成されてもよい。
【００１６】
プリフォームを本発明に従いネック部下方で薄く押し付ける第３のアプローチは、後冷却時に実現されてもよく、またそれはプリフォームの再軟化をもたらすに余熱に基づいている。後冷却では、工作機から取り出されたプリフォームは、冷却を更に継続せずとも基本的に再軟化する、すなわち特定の温度レベルに到りまたそれにより再び容易に変形可能となる。後冷却内でのこの解決法においては、プレス加工により所望の輪郭をもたらすことが出来る。従来技術において説明されたように、プリフォームシャフト及びプリフォーム丸部が冷却スリーブ内での接触冷却によって冷却される一方で、プリフォームシャフト及び搬送リングの間の領域は、冷却スリーブの機能を一部変更することによって、冷却接触から排された状態を維持し、それにより、この部分には再加熱により約９０℃から約１３０℃の温度が発生し得てまた従ってこの部分は再度変形可能となる。
【００１７】
従来技術においては、可能な限り硬化した一般的なプリフォームを獲得するために、プリフォームが原則として集中的に冷却されることとは対称的に、本発明のこの部分での基本的な考えは、搬送リング下方のプリフォーム領域に対する直接的な接触を排除する冷却スリーブの変更された機能により、そこでの集中的な冷却を取りやめまた従って再加熱を可能とすることである。搬送リング下方のプリフォーム領域は、数秒間の調整期間（コンディショニングタイム）の後に、当該領域が最も容易に変形可能な温度レベルとなる。
【００１８】
搬送リング下方のプリフォーム領域を変形させるために、特殊な型押し部材が使用され、当該型押し部材は集中的にまた再生産可能に新たな輪郭への変形を行う。
【００１９】
例えば工具鋼といった堅固な材料から作製されている型押し部材は、当該型押し部材が単純な軸方向の移動によって大きな型押し力をもたらすことが出来るように、配設されている。型押しとは、可塑性の材料が引っ張り、押圧、及び押し込みにより、型押し部材により正確に予め定められて、変形されること、として理解される。上述のプリフォーム領域における型押しプロセスに正確さに関して影響を与える更なる措置は、型押し体を能動的に調温する措置である。
【００２０】
型押しプロセスは基本的に、プリフォームの内側の変形を回避する硬いシリンダー部材に接する柔らかい合成物質を型押し部材が押圧変形させることとして、理解され得る。従って、型押し部位の上方及び下方の領域が軸方向に自由に移動可能である場合には、合成物質は上方及び下方へと逃げ、それにより、プリフォームは再生産可能に僅かに延伸し得る。この方法もまた、型押し部材の数に直接的に依拠して、簡単なウェブを有している、なぜなら、ネック部に写し取られる、形状に関するこれらの分離部分が輪郭部に存在するからである。成形機内での射出成形の時間は、型押しプロセス自体よりも長く続くので、この型押し方法は基本的に生産サイクルの時間に影響を及ぼさない。
【００２１】
以下において本発明は、図面との関連においてより詳細に説明される。それらの図面は以下において、プリフォームネック部の製造プロセスの説明を補助するものである。
【図面の簡単な説明】
【００２２】
【図１】従来技術に従って通常作製されるようなプリフォームの断面を示す。
【図２】プリフォームの断面を示しており、当該プリフォームにおいては搬送リングの下方の領域は異なる方法により、射出成形プロセスの後又はその間に、成型機内又はネック部冷却ステーション内で作り上げられ、またそれにより当該領域での壁厚は略任意に減少可能である。
【図３】型押し部材が組み込まれたネック部冷却ユニットの概略的な断面図を示しており、また、型押し力をどのようにもたらすことが出来るかが明らかにされている。
【図４】型押し部材が組み込まれたネック部冷却ユニットの概略的な断面図を示しており、また、型押し力をどのようにもたらすことが出来るかが明らかにされている。
【図５】型押し部材が組み込まれたネック部冷却ユニットの概略的な断面図を示しており、また、型押し力をどのようにもたらすことが出来るかが明らかにされている。
【図６】型押し部材が組み込まれたネック部冷却ユニットの概略的な断面図を示しており、また、型押し力をどのようにもたらすことが出来るかが明らかにされている。
【図７】開放されたプリフォームネック部での流れ経路の概略図を、外側から及び側断面で示している。
【図８ａ】充填プロセスの後又はその間に、成型機内でより薄い壁厚を作成するための押圧部材はめ込みの利用を示す。
【図８ｂ】充填プロセスの後又はその間に、成型機内でより薄い壁厚を作成するための押圧部材はめ込みの利用を示す。
【図９】プリフォーム用の製造装置の断面図を例示的に示す。
【発明を実施するための形態】
【００２３】
図１は従来技術に従って作製されたプリフォームを示している。このプリフォームはねじ部を作成するための更なる製造プロセスのための搬送リング３を有しており、また、場合によってはプリフォームをウェブ間の領域で掴むことが出来るので、将来的にはこの搬送リング３を排除することも可能である。その際、搬送リング３下方の領域での壁厚は、ねじ部領域１５における壁厚と類似の壁厚１２を有している。搬送リング３の下方に狭められた壁圧９を有しているブロープロセスにとって最適化された図２のプリフォームは、溶融物が硬化するリスクに基づいて、射出成形の技術的には、制限下でのみしか実現することは出来ない、なぜなら、冷却プロセス中にプリフォームの収縮に対抗する保持圧力（保圧）が重要な領域に最早作用し得ないからである。
【００２４】
図２のプリフォームが製造され得るように、本発明においては、３つの解決アプローチが示されている。その際、３つ全ての方法が、説明されるプリフォーム領域の周囲に少なくとも２つのウェブ或いは溝１４を作成し、それらが所望の結果に対して不利な影響を有していないことが言及される。従来の射出成形技術を用いて図２に示されているようなプリフォームを生産可能とするために、成形機１７は以下のように構成される、すなわち、プリフォームネック部１５の下方の薄い壁部９に渡って、少なくとも２つの、より良好には３つの、図７に示されているような十分な幅の溝１４が設けられ、それがネック部領域１５の保持圧力の維持を保障するように、構成される。
【００２５】
溝１４をより狭めて形成するため、代替として、図８ａ及び図８ｂに示されているように、少なくとも２つの押圧部材（スライド部材）１３を成形機１７に組み込んでもよく、当該押圧部材１３は射出成形プロセスにおいて最適な時点で使用される。これらの押圧部材１３は、型内で依然として柔らかい状態の合成物質をブロープロセスにとってさほど重要ではない範囲へ押圧し、またその際場合によっては保圧フェーズを援助する。
【００２６】
代替として、射出成形プロセスの後に狭い溝が獲得されてもよく、当該射出成形プロセスでは、プリフォームは最初の冷却及び成形装置１７の開放の後で通常の様態で取り出しアーム１８を用いて取り出され、またこの変更は後続の後冷却に移される。取り出しアーム１８はその際、複数の冷却スリーブ８を有しており、それらの中へは図１のプリフォームがネック部又は首部まで挿入される。
【００２７】
成型機１７を備えた射出成形機についても、取り出しアーム１８についても、従来技術から十分に知られている。
【００２８】
図３から図６には、その種の冷却スリーブ８が示されている。先に製造された図１のプリフォームは、搬送リング３の下方の領域に比較的厚い壁厚を有する従来の形状を有しており、また、その外側のボディ領域で、水冷される冷却スリーブ８内に略完全に直接的に接触して収容されている。液体又は気体を用いて行われるこの種の冷却は従来技術から多様な実施のバリエーションが知られているので、それについてより詳細に記載する必要はない。
【００２９】
図３に示されているプリフォームの位置決めは、冷却スリーブ８が上部領域に型押し部材５を有し、当該型押し部材５がバネ６に支持されておりまたねじ締めにより確保されていること、を示している。プリフォーム１は、その搬送リング３で型押し部材５に当接しており、またそれによりその冷却スリーブ８内の軸方向の終端部にはまだ到達していない。プリフォームが搬送リング３を有していない場合においては、プリフォーム１は代替として、そのボトム丸部にて弾性支持された可動的なボトム支持部１１によって、この位置へ運ばれ得る。型押し部材５はこの位置においてはまだ、プリフォーム１に対し形状を付与する様態で当接してはおらず、それによりこの領域は接触冷却がなされないので再加熱可能である。冷却スリーブ８の総数は、プリフォームの冷却を強化するために、成型機１７内のキャビティの総数の数倍であってもよい。それにより、冷却フェーズでのプリフォーム１又はプリフォーム２の滞在時間は、複数回の射出成形サイクルに渡って、持続することが出来る。
【００３０】
成型機１７を可能な限り迅速に次の射出成形サイクルに準備するために、取り出しアーム１８を用いて、プリフォームが型領域（形成領域）から取り出される。その際、取り出しアーム１８はある位置を占めており、それに伴い、その前に製造された複数のプリフォーム１のプリフォーム開口部が搬送プレートに向かい合う。当該搬送プレートにはプリフォームの総数と同数の支持ボルト５及び鐘状の押し込み部材７が、軸方向に高さを揃えて、取り付けられている。搬送プレートは、これ以降の強い力の要求に関して、簡潔化のため、直接可動的な閉鎖プレートに取り付けられていてもよい。代替的に搬送プレートは独立した可動ユニットであってもよい。
【００３１】
支持ボルト４は基本的に、搬送プレートと共に取り出し把持部１８を運転する際にプリフォーム１がセンタリングされまた後続の型押しプロセスの際に型押し部材５によるプリフォーム内径の変形が可能な限り避けられることを目的に、設けられている。型押しプロセス自体は、同じように取り出し把持部１８及び搬送プレートを共に運転することによって実行され、その際、鐘状の押し込み部材７によって、必要な力が型押し部材５に導入される。実際の型押し力は、型押し部材５をテーパ状に取り付けることよって発生し、それにより当該型押し部材５はプリフォーム軸に対して形状に関して予め設定されたストローク分だけ移動する。テーパ部の角度及び長さは、型押しのための力の要求に応じて選択される。
【００３２】
実際の型押しのための時点及び力は、搬送プレート自体を全体的に駆動することによって、決定され得る。しかしながら搬送プレートが射出成形機の可動式の閉鎖プレートと直接接続されている場合に、型押し時点を時間的に遅らせるべきである時には、個別の軸方向の駆動部を用いる必要がある。
【００３３】
図１のプリフォームは、取り出しの間、冷却スリーブの内側輪郭内で支持されており、具体的には、当該プリフォームが依然として後続の型押しにとって必要でありその長さにおいて特定されている軸方向の更なるストロークを行うことが可能である一方で、搬送リング３が当接していることで、これらのプリフォームがその更なるストロークを型押し部材５によって妨げられるように、支持されている。プリフォームが搬送リング３を備えていない場合、プリフォームは好ましくは弾性支持された可動的なボトム支持部１１を用いてこの定められた位置にて保持される。この特定の軸方向の残りのストロークは、支持ボルト４、鐘状の押し込み部材７、プリフォーム１、並びに型押し部材５によって、背圧バネ６に逆らって型押しプロセスのために実行される。支持リング３を有していないプリフォームにおいては、更に、ボトム支持部１１が押圧バネ１０に逆らって移動される。その際、再加熱による熱収支が型押し位置９において型押しにとって最適である場合には、型押しストロークは理想的な様態で実行される。
【００３４】
型押し部材５は成形領域においてほぼ任意に形成及び位置決めすることが出来る。型押し部材５は、全てが同一のサイズ（大きさ）であってもよいし、異なる寸法を採用してもよい。個数も、部材毎に個別に任意の数で選択され得る。３つから６つの同一サイズの型押し部材５が理想的であり、それらはそれぞれ、プリフォーム２の型押し位置に軸方向のウェブ１４を残すことが出来る。同一サイズの型押し部材５によって獲得されるこれらのウェブ１４が均一に分布する場合、その後のブロープロセスは不利益を被らない。
【００３５】
押圧プロセスが終了している場合、システムは負荷を除かれ得て、それにより背圧バネは、型押し部材５、また従って、プリフォーム２、鐘状の押し込み部材７及び支持ボルト４４を、再び初期位置へ移動させる。背圧バネ６が空圧機能に置き換え可能であることは自明であり、その結果、任意に遅らせた時点に対して、プリフォーム２を型押し部材５上方へ噴き出すことを実行出来る。これは、更なる後冷却のために冷却スリーブ８内で接触冷却した状態で留まっているべきである場合に、とりわけ重要である。支持リング３を備えていないプリフォームにおいては、プリフォームはこの場合に軸方向に動かされないので、型押し部材５は何れにせよ緩和され得る。
【符号の説明】
【００３６】
１              従来技術に従うプリフォーム
２              搬送リングの下方に最適化された薄壁のネック部領域であって、少なくとも２つの軸方向に支持されたウェブを有しているネック部領域を備えた、プリフォーム
３              プリフォームの搬送リング
４              支持ボルト
５              型押し部材
６              背圧バネ
７              鐘状の押し込み部材
８              冷却スリーブ
９              ネック部／搬送リング下の減少された壁厚
１０            押圧バネ
１１            ボトム支持部
１２            射出成形のための通常の壁厚
１３            押圧部材（スライダー）
１４            溝／ウェブ
１５            プリフォームネック部／ねじ部領域
１６            プリフォームシャフト
１７            成形機（型器具）
１８            取り出しアーム（取り出し把持部）
【図１】
2020179679.tif 000003
【図２】
2020179679.tif 000004
【図３】
2020179679.tif 000005
【図４】
2020179679.tif 000006
【図５】
2020179679.tif 000007
【図６】
2020179679.tif 000008
【図７】
2020179679.tif 000009
【図８ａ】
2020179679.tif 000010
【図８ｂ】
2020179679.tif 000011
【図９】
2020179679.tif 000012
【手続補正書】
【提出日】令和2年8月17日(2020.8.17)
【手続補正１】
【補正対象書類名】明細書
【補正対象項目名】００１４
【補正方法】変更
【補正の内容】
【００１４】
第１のアプローチでは、成型機の領域において例えばプリフォームの形態を以下のように作り上げることが可能である、すなわち、ネック部の移行部の大部分が実際に薄壁状であるものの、少なくとも２つ又はそれ以上の流路が作成され、それらが早期に硬化することはなくまた従ってネック部に対する保持圧力が維持されるように、プリフォームの形態を作り上げることが可能である。これらの流路は、完成した射出成形体におけるウェブ（ブリッジ、垂直部分）を示しており、当該ウェブは、それらが可能な限り対称に周囲に分布されている限り、後続のブロープロセスには悪影響を及ぼさない。
【手続補正２】
【補正対象書類名】明細書
【補正対象項目名】００２４
【補正方法】変更
【補正の内容】
【００２４】
図２のプリフォームが製造され得るように、本発明においては、３つの解決アプローチが示されている。その際、３つ全ての方法が、説明されるプリフォーム領域の周囲に少なくとも２つのウェブ或いは流路１４を作成し、それらが所望の結果に対して不利な影響を有していないことが言及される。従来の射出成形技術を用いて図２に示されているようなプリフォームを生産可能とするために、成形機１７は以下のように構成される、すなわち、プリフォームネック部１５の下方の薄い壁部９に渡って、少なくとも２つの、より良好には３つの、図７に示されているような十分な幅の流路１４が設けられ、それがネック部領域１５の保持圧力の維持を保障するように、構成される。
【手続補正３】
【補正対象書類名】明細書
【補正対象項目名】００２５
【補正方法】変更
【補正の内容】
【００２５】
流路１４をより狭めて形成するため、代替として、図８ａ及び図８ｂに示されているように、少なくとも２つの押圧部材（スライド部材）１３を成形機１７に組み込んでもよく、当該押圧部材１３は射出成形プロセスにおいて最適な時点で使用される。これらの押圧部材１３は、型内で依然として柔らかい状態の合成物質をブロープロセスにとってさほど重要ではない範囲へ押圧し、またその際場合によっては保圧フェーズを援助する。
【手続補正４】
【補正対象書類名】明細書
【補正対象項目名】００２６
【補正方法】変更
【補正の内容】
【００２６】
代替として、射出成形プロセスの後に狭い流路が獲得されてもよく、当該射出成形プロセスでは、プリフォームは最初の冷却及び成形装置１７の開放の後で通常の様態で取り出しアーム１８を用いて取り出され、またこの変更は後続の後冷却に移される。取り出しアーム１８はその際、複数の冷却スリーブ８を有しており、それらの中へは図１のプリフォームがネック部又は首部まで挿入される。
【手続補正５】
【補正対象書類名】明細書
【補正対象項目名】００３６
【補正方法】変更
【補正の内容】
【００３６】
１              従来技術に従うプリフォーム
２              搬送リングの下方に最適化された薄壁のネック部領域であって、少なくとも２つの軸方向に支持されたウェブを有しているネック部領域を備えた、プリフォーム
３              プリフォームの搬送リング
４              支持ボルト
５              型押し部材
６              背圧バネ
７              鐘状の押し込み部材
８              冷却スリーブ
９              ネック部／搬送リング下の減少された壁厚
１０            押圧バネ
１１            ボトム支持部
１２            射出成形のための通常の壁厚
１３            押圧部材（スライダー）
１４            流路／ウェブ
１５            プリフォームネック部／ねじ部領域
１６            プリフォームシャフト
１７            成形機（型器具）
１８            取り出しアーム（取り出し把持部）
【手続補正６】
【補正対象書類名】特許請求の範囲
【補正対象項目名】全文
【補正方法】変更
【補正の内容】
【特許請求の範囲】
【請求項１】
後続の簡潔化されたブロープロセスのために、ネジ部領域或いは搬送リング（３）の下方に改良されたネック部形状を備えたプリフォーム（２）を製造するための方法にして、少なくとも１つの熱可塑性材料からなる完成まで製造された前記プリフォーム（２）が、ネジ部下方のネック部領域において、ねじ部自体の壁厚よりも、薄い壁厚を有しており、また、前記プリフォーム（２）がブロー成形された容器へ変形するために備えられている方法にして、
前記プリフォーム（２）が射出成形されているが、薄壁領域に関わらず保持圧力は増加された壁厚を有している少なくとも２つの流路（１４）を用いて維持され得て、
少なくとも２つの流路（１４）が記載のプリフォーム領域の周囲に作成される方法において、
射出成形技術を用いてプリフォームを生産可能とするために、成形機（１７）は以下のように構成されること、すなわち、プリフォームネック部（１５）の下方の薄い壁部（９）に渡って、２つ又は３つの十分な幅の流路（１４）が設けられ、当該流路（１４）がネック部領域（１５）の保持圧力の維持を保障するように、構成されること、
を特徴とする方法。
【請求項２】
請求項１に記載の方法において、
当該方法により、全ての前記プリフォーム（２）が、それらの製造時にネック部下方の薄壁領域に、少なくとも２つのウェブ或いは流路（１４）を有していること
を特徴とする方法。
【請求項３】
請求項１又は２に記載の方法において、
前記流路（１４）が射出成形処理のために、保持圧力を維持するため前記合成物質が前記流路（１４）内では、プリフォームネック部内の前記合成物質よりも早くは硬化しないように、構成されていること
を特徴とする方法。
【請求項４】
ネック部の下方にブロープロセスにとって最適な形状を有しているプリフォーム（２）を製造するための装置にして、完成まで製造された前記プリフォーム（２）が、ネジ部の下方の領域において、ねじ部自体での壁厚よりも、薄い壁厚を有している装置であって、
圧力下で可塑性の塊りを閉じられた成形機のキャビティ内へ注入するために、射出成形装置がこの合成物質原材料を可塑化させること、１個取り又は複数個取りの成形キャビティを備える成形機が、これらのプリフォーム（２）の完成までの形状付与を担い、その際当該成型機が、減少した壁厚に関わらずネック部での保持圧力の要求を保障するために、流路（１４）を使用可能であり、
少なくとも２つの流路（１４）が記載のプリフォーム領域の周囲に作成されている装置において、
射出成形技術を用いてプリフォームを生産可能とするために、成形機（１７）は以下のように構成されること、すなわち、プリフォームネック部（１５）の下方の薄い壁部（９）に渡って、２つ又は３つの十分な幅の流路（１４）が設けられ、当該流路（１４）がネック部領域（１５）の保持圧力の維持を保障するように、構成されること、
を特徴とする装置。